(57)【要約】【課題】無線通信装置で使用できる各無線通信方式について、適正な消費電力情報をユーザが選択することができる無線通信管理方法等を提供する。【解決手段】無線通信装置１０は、無線通信方式が異なる複数の無線通信部１２１、１２２を備える。制御部１１は、無線通信部毎に無線通信制御装置２０との間でのデータ通信を行い、データ通信時の消費電力と通信状態を無線通信方式毎に取得してデータ格納部１６に格納する。制御部１１は、通信端末３０からの要求に応答して、データ格納部１６に格納された無線通信方式毎の消費電力と通信状態の情報を送信する。通信端末３０は、無線通信方式毎の消費電力と通信状態の情報を受信して表示し、無線通信装置１０に関する設定入力をユーザより受け付ける。【選択図】図１
2011239013.tif 000002
【特許請求の範囲】
【請求項１】
無線通信方式が異なる複数の無線通信部を備える無線通信装置が、前記無線通信部毎に装置間でのデータ通信し、当該データ通信時の前記装置の消費電力と通信状態を前記無線通信方式毎に取得する取得ステップと、
前記取得された無線通信方式毎の消費電力の情報を、前記無線通信装置に接続された端末に送信する送信ステップと、
前記端末が、前記無線通信方式毎の消費電力の情報を受信して表示するステップと、
を備えることを特徴とする無線通信装置管理方法。
【請求項２】
前記取得ステップは、各前記無線通信方式によるデータ通信において、前記無線通信装置の消費電力を測定し、通信相手の無線通信装置の消費電力の情報を当該通信相手の無線通信装置から受信し、
前記送信ステップは、前記無線通信方式毎に取得された前記無線通信装置の消費電力の情報と前記通信相手の無線通信装置の消費電力の情報とを送信する、
ことを特徴とする請求項１に記載の無線通信装置管理方法。
【請求項３】
前記取得ステップは、前記無線通信部毎に装置間でデータ通信し、当該データ通信時の消費電力と通信状態を無線通信方式毎に取得して所定の記憶領域に記憶しておく第１の取得ステップと、前記端末からの要求に応答して前記無線通信部毎に装置間でデータ通信し、当該データ通信時の通信状態を無線通信方式毎に取得し、取得した通信状態に対応する消費電力を無線通信方式毎に前記記憶領域から読み出す第２の取得ステップと、を備え、
前記送信ステップは、前記第２の取得ステップにより取得された無線通信方式毎の通信状態と当該通信状態に対応する消費電力の情報を送信する、
ことを特徴とする請求項１又は２に記載の無線通信装置管理方法。
【請求項４】
無線通信方式が異なる複数の無線通信部毎にデータ通信した時の装置の消費電力と通信状態を無線通信方式毎に取得する取得手段と、
前記取得された無線通信方式毎の消費電力と通信状態の情報を送信する送信手段と、
を備えることを特徴とする無線通信管理装置。
【請求項５】
前記取得手段は、各前記無線通信方式によるデータ通信において、前記装置の消費電力を測定し、通信相手の装置の消費電力の情報を取得し、
前記送信手段は、前記無線通信方式毎に取得された前記装置の消費電力の情報と前記通信相手の装置の消費電力の情報とを送信する、
ことを特徴とする請求項４に記載の無線通信管理装置。
【請求項６】
前記取得手段は、前記無線通信部毎に装置間でデータ通信した時の消費電力と通信状態を無線通信方式毎に取得して所定の記憶領域に記憶しておく第１の取得手段と、前記無線通信部毎に装置間でデータ通信した時の通信状態を無線通信方式毎に取得し、取得した通信状態に対応する消費電力を無線通信方式毎に前記記憶領域から読み出す第２の取得手段と、を備え、
前記送信手段は、前記第２の取得手段により取得された無線通信方式毎の通信状態と当該通信状態に対応する消費電力の情報を送信する、
ことを特徴とする請求項４又は５に記載の無線通信管理装置。
【発明の詳細な説明】
【技術分野】
【０００１】
本発明は、親機と子機間を無線通信で接続する通信装置に関する。
【背景技術】
【０００２】
近年、複数の無線通信方式を使用できる通信装置が考案されている。このような通信装置において、各無線通信方式による消費電力の情報を取得し、消費電力のより小さい無線通信方式を選択して通信を行うものもある。
【０００３】
例えば、特許文献１には、複数の無線通信部と、各無線通信部のスループットや消費電力等の属性情報を格納する無線通信部属性情報格納部と、を備える無線通信端末が開示されている。
【先行技術文献】
【特許文献】
【０００４】
【特許文献１】特開２００６−３３２８３５号公報
【発明の概要】
【発明が解決しようとする課題】
【０００５】
特許文献１では、各無線通信部の属性情報として、消費電力等の情報が予め無線通信部属性情報格納部に格納されており、この情報に基づいて、通信に使用する無線通信部を選択している。無線通信時の装置の消費電力は、実際には装置自体の特性や設置場所、通信状態等に依存するにも関わらず、予め格納された規格上の消費電力の情報である為、設置場所や通信状態が反映された情報ではなかった。
【０００６】
本発明は、上記問題点に鑑みてなされたもので、無線通信装置で使用できる各無線通信方式について、適正な消費電力情報をユーザが選択することができる無線通信管理方法等を提供することを目的とする。
【課題を解決するための手段】
【０００７】
本発明は、無線通信方式が異なる複数の無線通信部を備える無線通信装置が、前記無線通信部毎に装置間でのデータ通信し、当該データ通信時の前記装置の消費電力と通信状態を前記無線通信方式毎に取得する取得ステップと、前記取得された無線通信方式毎の消費電力の情報を、前記無線通信装置に接続された端末に送信する送信ステップと、前記端末が、前記無線通信方式毎の消費電力の情報を受信して表示するステップと、を備えることを特徴とする無線通信装置管理方法である。
【０００８】
本発明は、無線通信方式が異なる複数の無線通信部毎にデータ通信した時の装置の消費電力と通信状態を無線通信方式毎に取得する取得手段と、前記取得された無線通信方式毎の消費電力と通信状態の情報を送信する送信手段と、を備えることを特徴とする無線通信管理装置である。
【発明の効果】
【０００９】
本発明によれば、無線通信装置で使用できる各無線通信方式について、適正な消費電力情報をユーザが選択することができる。
【図面の簡単な説明】
【００１０】
【図１】図１は本発明の第１の実施形態に係る無線通信装置を含む無線通信システムの機能ブロック図である。
【図２】図２は無線通信システムの動作を説明するためのフローチャートである。
【図３】図３はデータ格納部に記憶される測定情報を例示する図である。
【図４】図４は本発明の第２の実施形態に係る無線通信装置を含む無線通信システムの機能ブロック図である。
【図５】図５は消費電力データ部に記憶される情報を例示する図である。
【発明を実施するための形態】
【００１１】
以下、本発明の実施形態について図面を参照して説明する。
【００１２】
（第１の実施形態）
図１は、本発明の第１の実施形態に係る無線通信システムの機能ブロック図である。図示されるように、第１の実施形態に係る無線通信システムは、無線通信装置１０と、無線通信制御装置２０と、通信端末３０と、を備える。
【００１３】
無線通信装置１０は、無線通信制御装置（親機）２０と通信を行う無線子機であり、通信端末３０に接続される。無線通信装置１０は、制御部１１と、複数の無線通信部１２１、１２２と、無線制御部１４と、消費電力測定部１５と、データ格納部１６と、端末接続部１７と、アンテナ１８と、を備える。
【００１４】
制御部１１は、無線通信装置１０の動作を制御する。制御部１１は、通信端末３０からの要求に応答して、各通信規格によるデータ送受信時における通信速度や無線通信装置１０と子機通信装置２０の消費電力等の情報を取得し、取得した情報を含む測定情報を生成して通信端末３０に送信する。また、制御部１１は、通信端末３０から無線通信に関する設定要求を受信すると、当該要求に基づく設定を行い、無線通信制御装置２０との無線通信を確立する。
【００１５】
無線通信部１２１、１２２は、それぞれ異なる無線通信方式により無線通信を行う。無線通信方式は、例えば、ＩＥＥＥ８０２．１１ａ、ＩＥＥＥ８０２．１１ｂ、ＩＥＥＥ８０２．１１ｇ、ＩＥＥＥ８０２．１１ｎ、ＷｉＭＡＸ等の無線通信規格を含む。本実施形態では、無線通信部（規格Ａ）１２１は、ＩＥＥＥ８０２．１１ａ規格による無線通信を行い、無線通信部（規格Ｂ）１２２は、ＩＥＥＥ８０２．１１ｂ規格による無線通信するものとする。
【００１６】
無線制御部１４は、無線通信部１２１、１２２を制御する。消費電力測定部１５は、無線通信時の電圧と電流を測定することにより、無線通信における当該無線通信装置１０の消費電力を測定する。
【００１７】
データ格納部１６は、各無線通信方式により無線通信装置１０と無線通信制御装置２０の間で規定データを送受信したときに測定される通信速度、無線通信装置１０の消費電力等の情報が格納される。また、データ格納部１６は、各無線通信方式についての通信速度と無線通信装置１０の消費電力と無線通信制御装置２０の消費電力の情報を含む測定情報が格納される。なお、規定データは、通信速度等を測定するためのダミーデータでもよく、また、ユーザデータでもよい。
【００１８】
端末接続部１７は、通信端末３０と通信する。端末接続部１７と通信端末３０の接続形態は任意であり、ＬＡＮやＵＳＢにより接続されてもよい。また、通信端末３０に無線通信装置１０が内蔵され、端末接続部１７を介して内部的に接続されてもよい。
【００１９】
アンテナ１８は、無線通信部１２１、１２２による無線通信を送受信する。
【００２０】
無線通信制御装置２０は、無線通信装置（子機）１０と通信する無線親機であり、ＬＡＮ、ＷＡＮ等のネットワーク６０に接続されている。無線通信制御装置２０は、制御部２１と、複数の無線通信部２２１、２２２と、無線制御部２４と、消費電力測定部２５と、データ格納部２６と、ネットワーク通信部２７と、アンテナ２８と、を備える。
【００２１】
制御部２１は、無線通信制御装置２０の動作を制御する。制御部２１は、無線通信装置１０と各通信規格により無線通信し、データ送受信時における無線通信制御装置２０の消費電力を子機消費電力測定部２５を介して測定し、測定結果を無線通信装置１０に送信する処理を行う。
【００２２】
無線通信部２２１、２２２は、それぞれ異なる無線通信方式により無線通信する。無線通信方式は、例えば、ＩＥＥＥ８０２．１１ａ、ＩＥＥＥ８０２．１１ｂ、ＩＥＥＥ８０２．１１ｇ、ＩＥＥＥ８０２．１１ｎ、ＷｉＭＡＸ等の無線通信規格を含む。本実施形態では、無線通信部（規格Ａ）２２１は、ＩＥＥＥ８０２．１１ａ規格により無線通信し、無線通信部（規格Ｂ）２２２は、ＩＥＥＥ８０２．１１ｂ規格により無線通信するものとする。
【００２３】
無線制御部２４は、無線通信部２２１、２２２を制御する。消費電力測定部２５は、無線通信時の電圧と電流を測定することにより、無線通信における無線通信制御装置２０の消費電力を測定する。
【００２４】
データ格納部２６は、各無線通信方式により無線通信装置１０と無線通信制御装置２０の間で規定データを送受信したときの無線通信制御装置２０の消費電力の情報等が格納される。
【００２５】
ネットワーク通信部２７は、ＬＡＮ、ＷＡＮ等のネットワーク６０を介して他の装置と通信する。
【００２６】
アンテナ２８は、無線通信部２２による無線通信を送受信する。
【００２７】
通信端末３０は、ＣＰＵ、ＲＯＭ（Read Only Memory）、ＲＡＭ（Random Access Memory）等を含む制御部と、ハードディスク装置等を含む記憶部と、液晶ディスプレイ等を含む表示部と、キーボードやマウス等を含む入力部と、ＮＩＣ(Network Interface Card)等を含む通信制御部と、を備えるコンピュータ等から構成される。通信端末３０は、通信制御部やＵＳＢ接続部等を介して無線通信装置１０と接続される。
【００２８】
通信端末３０の制御部は、無線通信装置１０の無線通信方式や通信状態を管理する通信管理機能を有する。ここで、通信状態とは、通信速度、通信品質、等を含む。本実施形態では、通信状態として通信速度を計測する。制御部は、通信管理機能により、無線通信装置１０で使用できる各無線通信方式について、規定データの送受信を行って測定される通信状態や子機（無線通信装置１０）と親機（無線通信制御装置２０）の消費電力等の測定情報を無線通信装置１０に要求して取得し、表示部に画面表示する。そして、無線通信方式や通信状態に関する設定入力を入力部から受け付けると、入力内容を示す設定要求を無線通信装置１０に送信する。
【００２９】
次に、第１の実施形態に係る無線通信システムの動作について図２のフローチャートを参照して説明する。
【００３０】
例えば、ユーザが各無線通信方式についての消費電力と通信状態を確認するために、通信端末３０において所定操作を行うと、この操作に応答して、通信端末３０は、確認要求を無線通信装置１０に送信する（ステップＳ１１）。
【００３１】
無線通信装置１０の制御部１１は、通信端末３０からの確認要求を受信すると、無線制御部１４を介して、当該無線通信装置１０が有する複数の無線通信部のうちの一つを選び、無線通信制御装置２０との間で無線通信の接続を行う（ステップＳ１２）。ここでは、例えば、無線通信部（規格Ａ）１２１が選択され、対応するＩＥＥＥ８０２．１１ａ規格による接続が行われる。なお、複数の無線通信部のうち、接続を行う順番は任意であり、例えば、無線通信部（規格Ｂ）１２２から先に接続を行ってもよい。
【００３２】
無線通信制御装置２０との接続の完了後、無線通信装置１０の制御部１１は、規定サイズのデータを送出し、この規定データの送信に伴う通信速度を取得する。また、制御部１１は、消費電力測定部１５を介して当該無線通信装置１０のデータ送出時の消費電力を測定する。そして、通信速度と無線通信装置１０の消費電力のデータをデータ格納部１６に記憶する（ステップＳ１３）。
【００３３】
無線通信制御装置２０の制御部２１は、無線通信装置１０からの規定データを受信すると、データ受信時の消費電力を子機消費電力測定部２５を介して測定し、データ格納部２６に記憶する（ステップＳ１４）。
【００３４】
次に、無線通信制御装置２０は、規定サイズのデータを無線通信装置１０に送信し、この規定データの送信における消費電力を測定し、測定結果をデータ格納部２６に記憶する（ステップＳ１５）。
【００３５】
無線通信装置１０は、無線通信制御装置２０からの規定データを受信すると、データ受信時の通信速度を確認する。また、データ受信時の消費電力を消費電力測定部１５で測定する。そして、通信速度と消費電力の情報をデータ格納部１６に記憶する（ステップＳ１６）。
【００３６】
また、無線通信制御装置２０の制御部２１は、ステップＳ１５における規定データの送信が完了すると、現在の無線通信方式（この例では、ＩＥＥＥ８０２．１１ａ）による規定データの受信時と送信時における消費電力の情報をデータ格納部２６から読み出して無線通信装置１０に送信する（ステップＳ１７）。
【００３７】
無線通信装置１０の制御部１１は、無線通信制御装置２０からの消費電力の情報を受信すると、現在の無線通信方式による規定データの送受信で取得した通信速度と無線通信装置１０の消費電力の情報をデータ格納部１６から読み出し、受信した情報及び読み出した情報に基づいて測定情報を生成し、データ格納部１６に記憶する（ステップＳ１８）。測定情報の一例を図３に示す。測定情報は、例えば、一の無線通信規格により無線通信装置１０が無線通信制御装置２０へ規定データを送信したときの通信速度と無線通信装置１０の消費電力と無線通信制御装置２０の消費電力、無線通信装置１０が無線通信制御装置２０から規定データを受信したときの通信速度と無線通信装置１０の消費電力と無線通信制御装置２０の消費電力等の情報を含む。
【００３８】
次に、無線通信装置１０の制御部１１は、当該装置が有する複数の無線通信部のうち、まだ無線通信の接続を行っていない無線通信部があるかを判別し（ステップＳ１９）、ある場合には（ステップＳ１９：ＹＥＳ）ステップＳ１１に戻って上述した処理を行う。この例では、無線通信部１２２によりまだ無線通信をしていないため、無線通信部１２２により無線通信制御装置２０と無線通信の接続を行い、ＩＥＥＥ８０２．１１ｂによる通信についての測定情報を生成してデータ格納部１６に格納する。
【００３９】
また、ステップＳ１９において、全ての無線通信部により接続を行ったと判別された場合（ステップＳ１９：ＮＯ）、無線通信装置１０の制御部１１は、データ格納部１６に格納された測定情報を通信端末３０に送信する（ステップＳ２０）。
【００４０】
通信端末３０は、無線通信装置１０からの測定情報を受信し、受信した測定情報を表示するとともに、採用する無線通信方式や通信状態に関する入力を受け付け、入力内容を示す設定要求を無線通信装置１０に送信する（ステップＳ２１）。
【００４１】
無線通信装置１０は、設定要求を通信端末３０から受信すると、この設定要求設定が示す内容に従って、無線通信規格や通信状態に関する設定を行い、この設定に基づいて無線通信制御装置２０との接続を確立する（ステップＳ２２）。
【００４２】
以上のように、本実施の形態によれば、子機（無線通信装置１０）と親機（無線通信制御装置２０）が設置された状態で各無線通信方式によりデータ通信を実際に行って測定した通信速度や消費電力の情報を提供することができるため、ユーザは提供された情報に基づいて、適正な消費電力を選択し、無線通信方式や通信状態の設定を行うことができる。
【００４３】
（第２の実施形態）
次に、本発明の第２の実施形態について説明する。第２の実施形態では、子機である無線通信装置１０と親機である無線通信制御装置２０の間で実際に測定した消費電力の情報を無線通信装置１０の記憶領域（消費電力データ部）と無線通信制御装置２０の記憶領域（消費電力データ部）にそれぞれ記憶しておき、通信端末３０から確認要求があった際に、予め記憶された消費電力の情報を用いる。
【００４４】
図４は、本発明の第２の実施形態に係る無線通信システムの機能ブロック図である。第１の実施形態と同様の機能や構成を有するものについては同じ番号を付してその説明を省略し、第１の実施形態と相違する部分について説明する。
【００４５】
まず、消費電力の情報を予め取得してデータベース化する処理について説明する。無線通信装置１０の制御部１１Ａは、所定のタイミングで、第１の実施形態と同様にして、各無線通信規格によるデータ送信時における通信速度及びデータ送信時の消費電力と、データ受信時における通信速度及びデータ受信時における消費電力とを測定し、測定した情報を消費電力データ部１９に記憶しておく。消費電力データ部１９に記憶される情報を図５に例示する。
【００４６】
無線通信制御装置２０の制御部２１Ａは、規定データのデータ受信時における通信速度及びデータ受信時の消費電力と、データ送信時における通信速度及びデータ送信時における消費電力とを測定し、測定した情報を消費電力データ部２９に記憶しておく。消費電力データ部１９に記憶される情報を図５に例示する。消費電力データ部２９に記憶される情報は、消費電力データ部１９に記憶される情報（図５参照）と同様に、各通信規格について通信速度毎の装置の消費電力を示す。
【００４７】
次に、通信端末３０から無線通信装置１０に確認要求があった場合の処理について説明する。無線通信装置１０の制御部１１Ａは、通信端末３０からの確認要求を受信すると、無線通信装置１０が通信できる各無線通信規格の規定データの送受信における通信速度を取得し、その通信速度に対応する消費電力の情報を消費電力データ部１９から読み出して、通信速度の情報とともにデータ格納部１６に一時的に記憶する。
【００４８】
無線通信制御装置２０の制御部２１Ａは、無線通信端末１０との各無線通信規格での規定データの送受信において、通信速度を確認し、その通信速度に対応する消費電力の情報を消費電力データ部２９から読み出して、データ格納部２６に格納し、第１の実施形態と同様のタイミングで（一の無線通信規格での規定データの送受信の完了後）データ無線通信装置１０に送信する。
【００４９】
無線通信装置１０の制御部１１Ａは、無線通信制御装置２０から消費電力の情報を受信すると、受信した情報及びデータ格納部１６に格納されている通信速度と無線通信装置１０の消費電力の情報に基づいて測定情報を生成し、データ格納部１６に記憶する。このようにしてデータ格納部１６に格納されるデータは、第１の実施形態と同様の内容となる。
【００５０】
以後、第１の実施形態と同様にして、無線通信装置１０は、測定情報を通信端末３０に送信する。通信端末３０では、無線通信装置１０からの測定情報を画面表示してユーザによる設定入力を受け付け、入力内容を示す設定要求を無線通信装置１０に送信する。無線通信装置１０は、設定要求を受信し、受信した設定要求に基づいて無線通信方式や通信状態の設定を行う。
【００５１】
以上説明したように、第２の実施形態においても、子機（無線通信装置１０）と親機（無線通信制御装置２０）が設置された状態で各無線通信方式によりデータ通信を実際に行って測定した通信速度や消費電力を提供することができるため、第１の実施形態と同様に、ユーザは提供された情報に基づいて、適正な消費電力を選択し、無線通信方式や通信状態の設定を行うことができる。
【００５２】
以上、好ましい実施の形態をあげて本発明を説明したが、本発明は必ずしも上記実施の形態に限定されるものではなく、その技術的思想の範囲内において様々に変形し実施することが出来る。
【００５３】
例えば、上記実施形態では、無線通信装置１０は、無線通信部（規格Ａ）１２１と無線通信部（規格Ｂ）１２２の２つの無線通信部を備えているが、これは一例であり、無線通信装置１０が備える無線通信部の数は任意である。また、無線通信装置１０が使用できる無線通信方式も任意であり、他の種々の無線通信規格に対応した無線通信部を備えても良い。また、無線通信制御装置２０についても同様に、無線通信部の数と使用できる無線通信方式は任意である。
【００５４】
また、上記実施形態では、一の無線通信方式で規定データの送受信が完了したときに、無線通信制御装置２０が消費電力の情報を無線通信装置１０に送信するようにしているが、これに限定されず、例えば、全ての無線通信方式による規定データの送受信が完了したときに、無線通信制御装置２０が各無線通信方式に対応する消費電力の情報をまとめて送信するようにしてもよい。この場合、無線通信装置１０は、全ての無線通信方式での規定データの送受信が完了したときにその旨を無線通信制御装置２０に通知する。
【００５５】
また、上記実施形態では、通信状態として通信速度を用いているがこれに限定されず、通信速度、通信品質、使用帯域（チャネル）、送信電力等の少なくとも一つを通信状態として用いてもよい。そして、各通信状態に対応する消費電力を測定し、測定結果の情報を通信端末３０に供給し、通信状態に関する設定を受け付けても良い。
【００５６】
また、データ送受信時における消費電力情報だけでなく、待機時（データ通信無し）の消費電力を測定し、測定結果を提供するようにしてもよい。
【００５７】
また、複数の子機（無線通信装置１０）が同時に動作したときの消費電力等のデータを無線通信制御装置２０（親機）が収集して通信端末３０に供給するようにしてもよい。この場合は、例えば、無線通信制御装置２０（親機）が上述した無線通信装置１０（子機）と同様の機能を有し、無線や有線により通信端末３０に接続される。無線通信制御装置２０は、各無線通信規格について各無線通信装置１０と規定データの送受信を行って、データ送受信における通信速度と親機と子機の消費電力の情報を取得し、取得した情報に基づいて測定情報を生成してデータ格納部に格納し、通信端末３０に送信する。
【００５８】
また、無線通信装置１０のみについての測定情報を取得して通信端末３０に供給するようにしてもよい。
【００５９】
また、上記実施形態では消費電力を表示するようにしているが、消費電力の代わりに電流を測定し、これに基づいて測定情報を生成し、通信端末３０に供給してもよい。また、消費電力値から年間消費電力や電気代金等などを求めるための算出式を用いて各値を算出し、通信端末３０に供給するようにしてもよい。
【００６０】
また、規定データ送受信時の電波強度やエラー発生率等の無線通信のパラメータについても取得し、測定情報に含めて提供するようにしてもよい。
また、制御部１１と消費電力測定部１５とデータ格納部１６を備える通信管理装置（チップやカードを含む）を通信端末３０に内蔵するようにしてもよい。この通信管理装置が、無線通信装置１０と無線通信制御装置２０がデータ通信を行った際の無線通信装置１０の通信速度や消費電力を取得し、また、無線通信装置１０が受信した無線通信制御装置２０の消費電力の情報を取得し、測定情報を生成し、通信端末３０に送信してもよい。
【００６１】
上述した本発明の実施形態に係る無線通信装置１０の制御部１１と無線通信制御装置２０の制御部２１は、各装置のＣＰＵ（Central Processing Unit）がメモリに格納された動作プログラム等を読み出して実行することにより実現されてもよく、また、ハードウェアで構成されてもよい。上述した実施の形態の一部の機能のみをコンピュータプログラムにより実現することもできる。
【００６２】
上記の実施形態の一部又は全部は、以下の付記のようにも記載されうるが、以下には限られない。
【００６３】
（付記１）
無線通信方式が異なる複数の無線通信部を備える無線通信装置が、前記無線通信部毎に装置間でのデータ通信し、当該データ通信時の前記装置の消費電力と通信状態を前記無線通信方式毎に取得する取得ステップと、
前記取得された無線通信方式毎の消費電力の情報を、前記無線通信装置に接続された端末に送信する送信ステップと、
前記端末が、前記無線通信方式毎の消費電力の情報を受信して表示するステップと、
を備えることを特徴とする無線通信装置管理方法。
【００６４】
（付記２）
前記取得ステップは、各前記無線通信方式によるデータ通信において、前記無線通信装置の消費電力を測定し、通信相手の無線通信装置の消費電力の情報を当該通信相手の無線通信装置から受信し、
前記送信ステップは、前記無線通信方式毎に取得された前記無線通信装置の消費電力の情報と前記通信相手の無線通信装置の消費電力の情報とを送信する、
ことを特徴とする付記１に記載の無線通信装置管理方法。
【００６５】
（付記３）
前記取得ステップは、前記無線通信部毎に装置間でデータ通信し、当該データ通信時の消費電力と通信状態を無線通信方式毎に取得して所定の記憶領域に記憶しておく第１の取得ステップと、前記端末からの要求に応答して前記無線通信部毎に装置間でデータ通信し、当該データ通信時の通信状態を無線通信方式毎に取得し、取得した通信状態に対応する消費電力を無線通信方式毎に前記記憶領域から読み出す第２の取得ステップと、を備え、
前記送信ステップは、前記第２の取得ステップにより取得された無線通信方式毎の通信状態と当該通信状態に対応する消費電力の情報を送信する、
ことを特徴とする付記１又は２に記載の無線通信装置管理方法。
【００６６】
（付記４）
無線通信方式が異なる複数の無線通信部毎にデータ通信した時の装置の消費電力と通信状態を無線通信方式毎に取得する取得手段と、
前記取得された無線通信方式毎の消費電力と通信状態の情報を送信する送信手段と、
を備えることを特徴とする無線通信管理装置。
【００６７】
（付記５）
前記取得手段は、各前記無線通信方式によるデータ通信において、前記装置の消費電力を測定し、通信相手の装置の消費電力の情報を取得し、
前記送信手段は、前記無線通信方式毎に取得された前記装置の消費電力の情報と前記通信相手の装置の消費電力の情報とを送信する、
ことを特徴とする付記４に記載の無線通信管理装置。
【００６８】
（付記６）
前記取得手段は、前記無線通信部毎に装置間でデータ通信した時の消費電力と通信状態を無線通信方式毎に取得して所定の記憶領域に記憶しておく第１の取得手段と、前記無線通信部毎に装置間でデータ通信した時の通信状態を無線通信方式毎に取得し、取得した通信状態に対応する消費電力を無線通信方式毎に前記記憶領域から読み出す第２の取得手段と、を備え、
前記送信手段は、前記第２の取得手段により取得された無線通信方式毎の通信状態と当該通信状態に対応する消費電力の情報を送信する、
ことを特徴とする付記４又は５に記載の無線通信管理装置。
【符号の説明】
【００６９】
１０    無線通信装置
１１    制御部
１２１  無線通信部（規格Ａ）
１２２  無線通信部（規格Ｂ）
１４    無線制御部
１５    消費電力測定部
１６    データ格納部
１７    端末接続部
１８    アンテナ
２０    無線通信制御装置
２１    制御部
２２１  無線通信部（規格Ａ）
２２２  無線通信部（規格Ｂ）
２４    無線制御部
２５    消費電力測定部
２６    データ格納部
２７    ネットワーク通信部
３０    通信端末
６０  ネットワーク
【図１】
2011239013.tif 000003
【図２】
2011239013.tif 000004
【図３】
2011239013.tif 000005
【図４】
2011239013.tif 000006
【図５】
2011239013.tif 000007